(57)【要約】【課題】この発明は、店内での自鳴式物品監視タグの鳴動（発報）を検知し、該検知信号をセンターやゲートに通知する安価で有効なシステムを提供することを目的とする。【解決手段】この発明の店内盗難監視システムは、自鳴式物品監視タグのブザー用振動素子を検知器として用い、上記自鳴式物品監視タグのブザーの鳴動を該検知器で検出し、該検知信号をセンターまたはゲートに通知することにより、店内での前記自鳴式物品監視タグの不正取り外しをセンターまたはゲートに表示または鳴動させる。さらに、前記検知器を備えた送受信端末装置を複数台設置し、該各端末にＩＤを付与すると共に相互端末間を赤外線通信で接続することにより店内ＬＡＮを構成している。また、前記検知器には、各種タグに対応した動作周波数の異なる複数の検知回路を有し、該毛一信号の周波数と繰り返し周期からタグの種類を特定できる。【選択図】      図１
2004265262.tif 000002
【特許請求の範囲】
【請求項１】
自鳴式物品監視タグのブザー用振動素子を検知器として用い、上記自鳴式物品監視タグのブザーの鳴動を該検知器で検出し、該検知信号をセンターまたはゲートに通知することにより、店内での前記自鳴式物品監視タグの不正取り外しをセンターまたはゲートに表示または鳴動させることを特徴とする店内盗難監視システム。
【請求項２】
前記ブザーの鳴動の検出信号の周波数と繰り返し周期でもって該ブザーの種類を特定することを特徴とする前記請求項１記載の店内盗難監視システム。
【請求項３】
前記検知器を備えた送受信端末装置を複数台設置し、該各端末にＩＤを付与すると共に相互端末間を赤外線通信で接続することにより店内ＬＡＮを構成することを特徴とする前記請求項１または２記載の店内盗難監視システム。
【請求項４】
前記検知器には、各種タグに対応した動作周波数の異なる複数の検知回路を有することを特徴とする前記請求項１〜３の内，いずれか１項記載の店内盗難監視システム。
【請求項５】
前記異常警報が生じた時、当該異常を検知した検知器に連動して該検知器付近を撮像するモニターＴＶを動作させてセンターに表示させると共に、警報前後の撮像画像を別途録画することを特徴とする前記請求項１〜４の内、いずれか１項記載の店内盗難監視システム。
【発明の詳細な説明】
【発明の属する技術分野】
この発明は、ＣＤショップ等において商品の万引き等を防止するため商品に固着して用いる自鳴式物品監視装置に関し、特にその自鳴式タグが店内で不正により発報（鳴動）したことをセンターやゲートに通知するシステムに関する。
【従来の技術】
従来、ＣＤショップ等において商品の万引き等を防止するため商品に固着して用いる物品監視装置（盗難防止タグ）が知られている。この種の物品監視装置としては、内部に電源を持たない受動型のペーパータグが周知である。このペーパータグは商品に付けられていて、無断で商品を持ち出そうとすると店の入り口等に設置された発信装置の側を通る時反応し、該発信装置に設けられた警報機が鳴ることにより盗難防止を行っている。
しかし、このペーパータグは安価ではあるが、警報はゲートの方で鳴るため、複数の人間が同時に通過した場合はどの人間が商品を不正に持ち出そうとしているのか分からないため、現場を押さえるのに難しい欠点がある。また、強引にゲートを通過しようとする犯人に対し警報の発信箇所を確定できないため、遅れを取って逃げられてしまうという欠点もある。
また、この欠点を改善したものとして、特開２０００−９０３６０号公報のように、内部に電源を持ち、入り口の発信器からの電波を受信してタグ自体が警報を鳴らす自鳴式物品監視装置が公知である。
この自鳴式物品監視装置は、例えばＣＤの場合、図８に示す如く合成樹脂からなる透明ケース（クリアケース）５１、警報作動検出スイッチ５６及びブザー６７を具え、クリアケース５１に商品（コンパクトディスクが収納されたカセット）６８が収容されている。前記ブザー６７は、無線受信回路６５及び検出スイッチ５６によって動作が制御されており、クリアケース５１内にカセット６８が存在しないとき、或いは、自鳴式物品監視装置がゲートを通過するときに鳴動するものである。
販売店においては、ＣＤを入れたカセット６８を自鳴式物品監視装置のクリアケース５１に収容して陳列し、客にコンパクトディスクを販売する際、店員はブザー６７を鳴動しない状態に設定した上でクリアケース５１からカセット６８を取り出し、料金と引き替えに客にコンパクトディスクを手渡している。なお、カセット６８が取り出された自鳴式物品監視装置は繰り返し使用される。
上記自鳴式物品監視装置において、客が勝手に自鳴式物品監視装置のクリアケース５１からカセット６８を取り出すと、警報作動検出スイッチ５６はクリアケース５１内にカセット６８が存在しないことを検出してブザー６７へ鳴動指令を発し、ブザー６７は該鳴動指令を受けて鳴動する。これによって、店員は、クリアケース５１からカセット６８が不正に取り出されたことを知ることができる。
また、客がカセット６８を自鳴式物品監視装置のクリアケース５１に収容したまま無断で店外へ持ち出そうとすると、自鳴式物品監視装置の受信回路６５が入口ゲート等に設けられている送信回路からの信号を受けてブザー６７へ鳴動指令を発し、ブザー６７は該鳴動指令を受けて鳴動する。これによって、店員はコンパクトディスクが不正に店外へ持ち出されようとしていることを知ることができる。
また、図９に示す如く、単独でテープ等により商品に取り付けられて用いられる自鳴式物品監視用タグ７２も知られている。なお、図９（ａ）は全体斜視図、図９（ｂ）はその裏面側を示す。これは、例えば同じ出願人の提案したもの（特開２０００−３３９５５７号公報）であって、上記提案のケース内には、前記提案の受信回路を内蔵している。なお、図において、７４は発光ダイオードである。該自鳴式タグ７２は、長さ９ｃｍ、幅２ｃｍの逆舟型をしており、該ケースの裏面開孔７６から突出したスナップ・スイッチの動作片を商品に押し付けてテープ等で商品に固着されている。
前記図８のものと同様に、上記動作片が押されている限り、ブザーは鳴らない。しかし、不正に上記タグが商品より外されると、上記動作片がＯＮとなり、ブザーが鳴動する。また、ロック解除を行わずに不正に商品を持って黙って入口から出ようとすると入り口にある発振装置の電波を受信してブザーが鳴動する。なお、図９（ａ）の７３は、ロック用のピンである。
前記自鳴式タグは、現在２２ｋＨｚ、３７．５ｋＨｚ、３１．５ｋＨｚのものが知られている。自鳴式タグは前記受動式ペーパータグの使用周波数と同じ周波数を用いるならば前記ペーパータグ用の発信装置をそのまま用いることが可能となり、既に普及している前記受動式ペーパータグのシステムで両者を併用することが可能となる。すなわち、高価な自鳴式タグはサンプリング的に１０個に１個程度混ぜておくだけでかなり盗難防止の効果が出てくるので、前記受動式ペーパータグと周波数が共用されれば、入り口等に設置される発信装置も共用できるので、より普及し易い。従って、上記自鳴式タグは前記ペーパータグが最も普及している使用周波数である５８ｋＨｚ、または８．２ＭＨｚで設計されることが好ましい。
自鳴式物品監視装置（自鳴式タグ）は持ち出そうとする商品そのものが鳴動するので犯人を特定し易く、現場を押さえるのに上記受動式ペーパータグより有効である。しかし、店内の奥の方や陰に隠れて不正に外された場合、上記タグの鳴動が店内の雑音に紛れて店員が気づかない場合がある。
これを防ぐためには、何らかの手段により自鳴式タグが鳴動（発報）したとき、これを検知しセンター（レジ）やゲートに伝え、センターやゲートを鳴動させて盗難発生を知らせることが必要である。このことにより、不正発生後入り口（ゲート）から逃げる前に万引き者を取り押さえることが可能になる。
しかし、上記自鳴式タグの発報を検知してセンター等に伝える安価で有効なシステムが従来存在しなかった。
【特許文献１】
特開２０００−０９０３６０号公報
【特許文献２】
特開２０００−３３９５５７号公報
【発明が解決しようとする課題】
この発明は、上記問題を解決し、店内での自鳴式タグの鳴動（発報）を検知し、該検知信号をセンターやゲートに通知する安価で有効なシステムを提供することを目的とする。
【課題を解決するための手段】
この発明の店内盗難防止監視システムは、自鳴式物品監視タグのブザー用振動素子を検知器として用い、上記自鳴式物品監視タグのブザーの鳴動を該検知器で検出し、該検知信号をセンターまたはゲートに通知することにより、店内での前記自鳴式物品監視タグの不正取り外しをセンターまたはゲートに表示または鳴動させることを特徴とする。
さらに、前記ブザーの鳴動の検出信号の周波数と繰り返し周期でもって該ブザーの種類を特定することを特徴とする。
させることを特徴とする。
さらにまた、前記検知器を備えた送受信端末装置を複数台設置し、該各端末にＩＤを付与すると共に相互端末間を赤外線通信で接続することにより、店内ＬＡＮを構成することを特徴とする。また、前記検知器には、各種タグに対応した動作周波数の異なる複数の検知回路を有することを特徴とする。
さらにまた、前記異常警報が生じた時、当該異常を検知した検知器に連動して該検知器付近を撮像するモニターＴＶを動作させてセンターに表示させると共に、警報前後の撮像画像を別途録画することを特徴とする。
【発明の実施の形態】
図１には、この発明の店内盗難防止監視システムの全体システムが示されている。なお、図２もこの発明の店内盗難防止監視システムの全体システムであるが、図１のシステムの簡易版である。また、図１０に、本発明の自鳴式物品監視タグの鳴動監視システムの全体イメージを示す。
図１において、１や２は、図８や図９に示される従来公知の自鳴式盗難防止タグであり、その使用周波数は、例えば８．２ＭＨｚである。上記自鳴式タグは、前述の如く内部に電源を持ち、カウンターでロック解除せずに持ち出そうとすると入り口の発信器からの電波を受信してタグ自体が警報を鳴らすと共に、該タグ付き商品を不正に店内で取り外すと、該取り外しをタグのスナップ・スイッチが検知して鳴動する自鳴式物品監視装置、あるいは、単独でテープ等により商品に取り付けられて用いられる同様の自鳴式物品監視用タグである。
３〜６は店内各所に設けられた上記タグ鳴動の監視端末である。該監視端末には、自鳴式物品監視タグのブザー用振動素子と同じものを検知器として用いたブザー鳴動（警報音）検知回路がもうけられている。該検知用振動子は、前記自鳴タグのブザー用振動子として用いられるものと同じものを使うので、特性が相互に非常によくマッチする。例えば、該ブザー用振動子は、３．５ｋＨｚに共振のピークがあり、３．５ｋＨｚで発振して、３．５ｋＨｚのブザー音を発報（鳴動）する。一方、検知器として見た場合、その周波数検知特性には、図４に示すように３．５ｋＨｚをピークにして１〜５ｋＨｚに周波数選択性を示す。
従って、従来の可聴域（１０Ｈｚ〜５０ｋＨｚ）で平坦な周波数特性のマイクをこのブザー音検知器として用いた場合と比較すると、該平坦な特性のマイクは店内の他の雑音（例えば、店内放送や他の発振音等）にも反応してしまうが、上記ブザー用振動子はブザー鳴動周波数と同じ周波数選択特性を有するので、上記他の音源からの雑音に反応しないメリットがある。図６には上記ブザー鳴動（警報音）の波形パターンが示されている。なお、振動素子にはその固有周波数が図７に示されるように２〜４ｋＨｚに渉って複数の種類があり、その鳴動パターンもそれぞれ異なる（図７のＡ，Ｂは，図６のＡ，Ｂに対応する。）。
従って、各社の仕様に対応するため、前記ブザー鳴動検知回路は、複数の振動周波数に対応した複数の回路を並列に設けた方が汎用性が出てくるので好適である。各検知回路は、図６の波形のＡの部分の周波数及びＡ、Ｂの繰り返し周期を識別することにより、図７のタグの種類を特定することができる。実施例では、該ブザー鳴動検知器の検知距離は約５ｍであり、システム当たりの監視端末数は８個である。なお、店によっては複数のシステムで構成することもできる。
また、実施例では、例えば前記検知可能なタグの種類数は４種類であり、各監視端末３〜６及びセンター７間は赤外線通信手段９で相互に接続される。該端末間の赤外線通信距離は、約１０ｍである。各監視端末では、前記センサーでブザー鳴動を検知すると、警報検出位置を示す各端末のＩＤ及びタグの種類等を赤外線通信網を介してセンター７に通報する。
システムは、図１のように端末相互間を赤外線通信で結ぶＬＡＮ構成が推奨されるが、無線ＬＡＮや有線網でもよく、また、その簡易版として図２のごとく、各端末２３〜２６が直接センター２７と赤外線通信で接続する構成でもよい。この場合、図２の２８に示すように、センターのモニターには警報を検知した監視端末が一目でわかるようなグラフ表示をすることが望ましい。
図３には、上記各監視端末の構成が示される。図３において、３１，３４は受光回路、３２，３５は送信回路であり、それぞれ隣またはセンターとの赤外線通信の入出力回路として機能する。なお、３３は、これら赤外線通信用のチップである。
図４には、図３左方の前記警報音検知回路の詳細を示す。該検知回路は、タグに用いられた警報音発生用のブザー振動子と同じ振動子４１が検知素子として用いられている。該検知出力は増幅器４２等を経て、トーンレコーダ回路４３に入力される。トーンレコーダ回路では、図６のごとき入力信号の波形パターンを分析し、警報音かどうかの判定を行う。なお、該トーンレコーダ回路は、図４の４３に並列に図５の４４，４５等が接続され、複数のパターンに対応できる構成となっている。このことにより警報音発生用のブザー振動子の警報音のみが有効に検出され、その振動子の周波数選択性のため他の店内放送等の雑音に応動することがない。
また、図６の波形パターンの繰り返し周期及び図７の固有周波数から、どの種類のタグが鳴動しているかも検出することができる。なお、この場合、ブザー鳴動（発報）検知素子として代表的なブザー振動子を用いるが、該振動子は例えば３．５ｋＨｚをピークにして１〜５ｋＨｚに周波数選択性を示すものであり、図７に示される各種仕様の振動子はすべて上記検知範囲に固有周波数を有するので、どの種類のブザー音も検知可能である。
【発明の効果】
以上説明したように、この発明の店内盗難監視システムを用いると、前記自鳴式物品監視タグのブザーの鳴動を前記検知器で検出し、該検知信号をセンターまたはゲートに通知することにより、店内での前記自鳴式物品監視タグの不正取り外しをセンターまたはゲートに表示または鳴動させることができる。また、該システムは誤動作が少ないと共に、システム構成が汎用のもので製作できるので非常に安価に提供できるメリットがある。
さらに、前記検知器を備えた送受信端末装置を複数台設置し、該各端末にＩＤを付与すると共に相互端末間を赤外線通信で接続することにより、従来汎用の赤外線通信システムで店内ＬＡＮを構成することにより、安価に監視網が構築できる。また、前記検知器には、各種タグに対応した動作周波数の異なる複数の検知回路を有することにより、複数種類の前記盗難防止タグに対応でき、システムの汎用性が向上する。また、該検知回路では、検知信号の周波数と繰り返し周期よりタグの種類を特定することができ、複数のタグが混在しているときの利便性が向上する。
さらにまた、前記異常警報が生じた時、当該異常を検知した検知器に連動して該検知器付近を撮像するモニターＴＶを動作させてセンターに表示させると共に、警報前後の撮像画像を別途録画することにより、より防犯効果を高めることができる。
【図面の簡単な説明】
【図１】本発明の自鳴式物品監視タグの鳴動監視システムの全体図である。
【図２】本発明の自鳴式物品監視タグの簡易型鳴動監視システムの全体図である。
【図３】本発明の自鳴式物品監視タグの鳴動監視端末の構成を示す図である。
【図４】本発明の自鳴式物品監視タグの鳴動監視回路を示す図である。
【図５】図４に組み込まれる他のトーンレコーダを示す図である。
【図６】自鳴式タグ鳴動の波形パターンを示す図である。
【図７】自鳴式タグの各種仕様を示す図である。
【図８】従来の自鳴式物品監視装置の説明図である。
【図９】従来の他の自鳴式物品監視装置の説明図である。
【図１０】本発明の自鳴式物品監視タグの鳴動監視システムの全体イメージを示す図である。
【符号の説明】
１，２      自鳴式物品監視タグ
３〜６      自鳴式物品監視タグの鳴動監視端末
７      センター
２１，２２      自鳴式物品監視タグ
２３〜２６      自鳴式物品監視タグの鳴動監視端末
２７      センター
【図１】
2004265262.tif 000003
【図２】
2004265262.tif 000004
【図３】
2004265262.tif 000005
【図４】
2004265262.tif 000006
【図５】
2004265262.tif 000007
【図６】
2004265262.tif 000008
【図７】
2004265262.tif 000009
【図８】
2004265262.tif 000010
【図９】
2004265262.tif 000011
【図１０】
2004265262.tif 000012
【手続補正書】
【提出日】平成15年3月6日(2003.3.6)
【手続補正１】
【補正対象書類名】明細書
【補正対象項目名】全文
【補正方法】変更
【補正の内容】
【特許請求の範囲】
【請求項１】自鳴式物品監視タグのブザー用振動素子を検知器として用い、上記自鳴式物品監視タグのブザーの鳴動を該検知器で検出し、該検知信号をセンターまたはゲートに通知することにより、店内での前記自鳴式物品監視タグの不正取り外しをセンターまたはゲートに表示または鳴動させることを特徴とする店内盗難監視システム。
【請求項２】前記ブザーの鳴動の検出信号の周波数と繰り返し周期でもって該ブザーの種類を特定することを特徴とする前記請求項１記載の店内盗難監視システム。
【請求項３】前記検知器を備えた送受信端末装置を複数台設置し、該各端末にＩＤを付与すると共に相互端末間を赤外線通信で接続することにより店内ＬＡＮを構成することを特徴とする前記請求項１または２記載の店内盗難監視システム。
【請求項４】前記検知器には、各種タグに対応した動作周波数の異なる複数の検知回路を有することを特徴とする前記請求項１〜３の内，いずれか１項記載の店内盗難監視システム。
【請求項５】前記異常警報が生じた時、当該異常を検知した検知器に連動して該検知器付近を撮像するモニターＴＶを動作させてセンターに表示させると共に、警報前後の撮像画像を別途録画することを特徴とする前記請求項１〜４の内、いずれか１項記載の店内盗難監視システム。
【発明の詳細な説明】
【０００１】
【発明の属する技術分野】
この発明は、ＣＤショップ等において商品の万引き等を防止するため商品に固着して用いる自鳴式物品監視装置に関し、特にその自鳴式タグが店内で不正により発報（鳴動）したことをセンターやゲートに通知するシステムに関する。
【０００２】
【従来の技術】
従来、ＣＤショップ等において商品の万引き等を防止するため商品に固着して用いる物品監視装置（盗難防止タグ）が知られている。この種の物品監視装置としては、内部に電源を持たない受動型のペーパータグが周知である。このペーパータグは商品に付けられていて、無断で商品を持ち出そうとすると店の入り口等に設置された発信装置の側を通る時反応し、該発信装置に設けられた警報機が鳴ることにより盗難防止を行っている。
【０００３】
しかし、このペーパータグは安価ではあるが、警報はゲートの方で鳴るため、複数の人間が同時に通過した場合はどの人間が商品を不正に持ち出そうとしているのか分からないため、現場を押さえるのに難しい欠点がある。また、強引にゲートを通過しようとする犯人に対し警報の発信箇所を確定できないため、遅れを取って逃げられてしまうという欠点もある。
【０００４】
また、この欠点を改善したものとして、特開２０００−９０３６０号公報のように、内部に電源を持ち、入り口の発信器からの電波を受信してタグ自体が警報を鳴らす自鳴式物品監視装置が公知である。
【０００５】
この自鳴式物品監視装置は、例えばＣＤの場合、図８に示す如く合成樹脂からなる透明ケース（クリアケース）５１、警報作動検出スイッチ５６及びブザー６７を具え、クリアケース５１に商品（コンパクトディスクが収納されたカセット）６８が収容されている。前記ブザー６７は、無線受信回路６５及び検出スイッチ５６によって動作が制御されており、クリアケース５１内にカセット６８が存在しないとき、或いは、自鳴式物品監視装置がゲートを通過するときに鳴動するものである。
【０００６】
販売店においては、ＣＤを入れたカセット６８を自鳴式物品監視装置のクリアケース５１に収容して陳列し、客にコンパクトディスクを販売する際、店員はブザー６７を鳴動しない状態に設定した上でクリアケース５１からカセット６８を取り出し、料金と引き替えに客にコンパクトディスクを手渡している。なお、カセット６８が取り出された自鳴式物品監視装置は繰り返し使用される。
【０００７】
上記自鳴式物品監視装置において、客が勝手に自鳴式物品監視装置のクリアケース５１からカセット６８を取り出すと、警報作動検出スイッチ５６はクリアケース５１内にカセット６８が存在しないことを検出してブザー６７へ鳴動指令を発し、ブザー６７は該鳴動指令を受けて鳴動する。これによって、店員は、クリアケース５１からカセット６８が不正に取り出されたことを知ることができる。
【０００８】
また、客がカセット６８を自鳴式物品監視装置のクリアケース５１に収容したまま無断で店外へ持ち出そうとすると、自鳴式物品監視装置の受信回路６５が入口ゲート等に設けられている送信回路からの信号を受けてブザー６７へ鳴動指令を発し、ブザー６７は該鳴動指令を受けて鳴動する。これによって、店員はコンパクトディスクが不正に店外へ持ち出されようとしていることを知ることができる。
【０００９】
また、図９に示す如く、単独でテープ等により商品に取り付けられて用いられる自鳴式物品監視用タグ７２も知られている。なお、図９（ａ）は全体斜視図、図９（ｂ）はその裏面側を示す。これは、例えば同じ出願人の提案したもの（特開２０００−３３９５５７号公報）であって、上記提案のケース内には、前記提案の受信回路を内蔵している。なお、図において、７４は発光ダイオードである。該自鳴式タグ７２は、長さ９ｃｍ、幅２ｃｍの逆舟型をしており、該ケースの裏面開孔７６から突出したスナップ・スイッチの動作片を商品に押し付けてテープ等で商品に固着されている。
【００１０】
前記図８のものと同様に、上記動作片が押されている限り、ブザーは鳴らない。しかし、不正に上記タグが商品より外されると、上記動作片がＯＮとなり、ブザーが鳴動する。また、ロック解除を行わずに不正に商品を持って黙って入口から出ようとすると入り口にある発振装置の電波を受信してブザーが鳴動する。なお、図９（ａ）の７３は、ロック用のピンである。
【００１１】
前記自鳴式タグは、現在２２ｋＨｚ、３７．５ｋＨｚ、３１．５ｋＨｚのものが知られている。自鳴式タグは前記受動式ペーパータグの使用周波数と同じ周波数を用いるならば前記ペーパータグ用の発信装置をそのまま用いることが可能となり、既に普及している前記受動式ペーパータグのシステムで両者を併用することが可能となる。すなわち、高価な自鳴式タグはサンプリング的に１０個に１個程度混ぜておくだけでかなり盗難防止の効果が出てくるので、前記受動式ペーパータグと周波数が共用されれば、入り口等に設置される発信装置も共用できるので、より普及し易い。従って、上記自鳴式タグは前記ペーパータグが最も普及している使用周波数である５８ｋＨｚ、または８．２ＭＨｚで設計されることが好ましい。
【００１２】
自鳴式物品監視装置（自鳴式タグ）は持ち出そうとする商品そのものが鳴動するので犯人を特定し易く、現場を押さえるのに上記受動式ペーパータグより有効である。しかし、店内の奥の方や陰に隠れて不正に外された場合、上記タグの鳴動が店内の雑音に紛れて店員が気づかない場合がある。
【００１３】
これを防ぐためには、何らかの手段により自鳴式タグが鳴動（発報）したとき、これを検知しセンター（レジ）やゲートに伝え、センターやゲートを鳴動させて盗難発生を知らせることが必要である。このことにより、不正発生後入り口（ゲート）から逃げる前に万引き者を取り押さえることが可能になる。
【００１４】
しかし、上記自鳴式タグの発報を検知してセンター等に伝える安価で有効なシステムが従来存在しなかった。
【００１５】
【特許文献１】
特開２０００−０９０３６０号公報
【特許文献２】
特開２０００−３３９５５７号公報
【００１６】
【発明が解決しようとする課題】
この発明は、上記問題を解決し、店内での自鳴式タグの鳴動（発報）を検知し、該検知信号をセンターやゲートに通知する安価で有効なシステムを提供することを目的とする。
【００１７】
【課題を解決するための手段】
この発明の店内盗難防止監視システムは、自鳴式物品監視タグのブザー用振動素子を検知器として用い、上記自鳴式物品監視タグのブザーの鳴動を該検知器で検出し、該検知信号をセンターまたはゲートに通知することにより、店内での前記自鳴式物品監視タグの不正取り外しをセンターまたはゲートに表示または鳴動させることを特徴とする。
【００１８】
さらに、前記ブザーの鳴動の検出信号の周波数と繰り返し周期でもって該ブザーの種類を特定することを特徴とする。
させることを特徴とする。
【００１９】
さらにまた、前記検知器を備えた送受信端末装置を複数台設置し、該各端末にＩＤを付与すると共に相互端末間を赤外線通信で接続することにより、店内ＬＡＮを構成することを特徴とする。また、前記検知器には、各種タグに対応した動作周波数の異なる複数の検知回路を有することを特徴とする。
【００２０】
さらにまた、前記異常警報が生じた時、当該異常を検知した検知器に連動して該検知器付近を撮像するモニターＴＶを動作させてセンターに表示させると共に、警報前後の撮像画像を別途録画することを特徴とする。
【００２１】
【発明の実施の形態】
図１には、この発明の店内盗難防止監視システムの全体システムが示されている。なお、図２もこの発明の店内盗難防止監視システムの全体システムであるが、図１のシステムの簡易版である。また、図１０に、本発明の自鳴式物品監視タグの鳴動監視システムの全体イメージを示す。
【００２２】
図１において、１や２は、図８や図９に示される従来公知の自鳴式盗難防止タグであり、その使用周波数は、例えば８．２ＭＨｚである。上記自鳴式タグは、前述の如く内部に電源を持ち、カウンターでロック解除せずに持ち出そうとすると入り口の発信器からの電波を受信してタグ自体が警報を鳴らすと共に、該タグ付き商品を不正に店内で取り外すと、該取り外しをタグのスナップ・スイッチが検知して鳴動する自鳴式物品監視装置、あるいは、単独でテープ等により商品に取り付けられて用いられる同様の自鳴式物品監視用タグである。
【００２３】
３〜６は店内各所に設けられた上記タグ鳴動の監視端末である。該監視端末には、自鳴式物品監視タグのブザー用振動素子と同じものを検知器として用いたブザー鳴動（警報音）検知回路がもうけられている。該検知用振動子は、前記自鳴タグのブザー用振動子として用いられるものと同じものを使うので、特性が相互に非常によくマッチする。例えば、該ブザー用振動子は、３．５ｋＨｚに共振のピークがあり、３．５ｋＨｚで発振して、３．５ｋＨｚのブザー音を発報（鳴動）する。一方、検知器として見た場合、その周波数検知特性には、図４に示すように３．５ｋＨｚをピークにして１〜５ｋＨｚに周波数選択性を示す。
【００２４】
従って、従来の可聴域（１０Ｈｚ〜５０ｋＨｚ）で平坦な周波数特性のマイクをこのブザー音検知器として用いた場合と比較すると、該平坦な特性のマイクは店内の他の雑音（例えば、店内放送や他の発振音等）にも反応してしまうが、上記ブザー用振動子はブザー鳴動周波数と同じ周波数選択特性を有するので、上記他の音源からの雑音に反応しないメリットがある。図６には上記ブザー鳴動（警報音）の波形パターンが示されている。なお、振動素子にはその固有周波数が図７に示されるように２〜４ｋＨｚに渉って複数の種類があり、その鳴動パターンもそれぞれ異なる（図７のＡ，Ｂは，図６のＡ，Ｂに対応する。）。
【００２５】
従って、各社の仕様に対応するため、前記ブザー鳴動検知回路は、複数の振動周波数に対応した複数の回路を並列に設けた方が汎用性が出てくるので好適である。各検知回路は、図６の波形のＡの部分の周波数及びＡ、Ｂの繰り返し周期を識別することにより、図７のタグの種類を特定することができる。実施例では、該ブザー鳴動検知器の検知距離は約５ｍであり、システム当たりの監視端末数は８個である。なお、店によっては複数のシステムで構成することもできる。
【００２６】
また、実施例では、例えば前記検知可能なタグの種類数は４種類であり、各監視端末３〜６及びセンター７間は赤外線通信手段９で相互に接続される。該端末間の赤外線通信距離は、約１０ｍである。各監視端末では、前記センサーでブザー鳴動を検知すると、警報検出位置を示す各端末のＩＤ及びタグの種類等を赤外線通信網を介してセンター７に通報する。
【００２７】
システムは、図１のように端末相互間を赤外線通信で結ぶＬＡＮ構成が推奨されるが、無線ＬＡＮや有線網でもよく、また、その簡易版として図２のごとく、各端末２３〜２６が直接センター２７と赤外線通信で接続する構成でもよい。この場合、図２の２８に示すように、センターのモニターには警報を検知した監視端末が一目でわかるようなグラフ表示をすることが望ましい。
【００２８】
図３には、上記各監視端末の構成が示される。図３において、３１，３４は受光回路、３２，３５は送信回路であり、それぞれ隣またはセンターとの赤外線通信の入出力回路として機能する。なお、３３は、これら赤外線通信用のチップである。
【００２９】
図４には、図３左方の前記警報音検知回路の詳細を示す。該検知回路は、タグに用いられた警報音発生用のブザー振動子と同じ振動子４１が検知素子として用いられている。該検知出力は増幅器４２等を経て、トーンレコーダ回路４３に入力される。トーンレコーダ回路では、図６のごとき入力信号の波形パターンを分析し、警報音かどうかの判定を行う。なお、該トーンレコーダ回路は、図４の４３に並列に図５の４４，４５等が接続され、複数のパターンに対応できる構成となっている。このことにより警報音発生用のブザー振動子の警報音のみが有効に検出され、その振動子の周波数選択性のため他の店内放送等の雑音に応動することがない。
【００３０】
また、図６の波形パターンの繰り返し周期及び図７の固有周波数から、どの種類のタグが鳴動しているかも検出することができる。なお、この場合、ブザー鳴動（発報）検知素子として代表的なブザー振動子を用いるが、該振動子は例えば３．５ｋＨｚをピークにして１〜５ｋＨｚに周波数選択性を示すものであり、図７に示される各種仕様の振動子はすべて上記検知範囲に固有周波数を有するので、どの種類のブザー音も検知可能である。
【００３１】
【発明の効果】
以上説明したように、この発明の店内盗難監視システムを用いると、前記自鳴式物品監視タグのブザーの鳴動を前記検知器で検出し、該検知信号をセンターまたはゲートに通知することにより、店内での前記自鳴式物品監視タグの不正取り外しをセンターまたはゲートに表示または鳴動させることができる。また、該システムは誤動作が少ないと共に、システム構成が汎用のもので製作できるので非常に安価に提供できるメリットがある。
【００３２】
さらに、前記検知器を備えた送受信端末装置を複数台設置し、該各端末にＩＤを付与すると共に相互端末間を赤外線通信で接続することにより、従来汎用の赤外線通信システムで店内ＬＡＮを構成することにより、安価に監視網が構築できる。また、前記検知器には、各種タグに対応した動作周波数の異なる複数の検知回路を有することにより、複数種類の前記盗難防止タグに対応でき、システムの汎用性が向上する。また、該検知回路では、検知信号の周波数と繰り返し周期よりタグの種類を特定することができ、複数のタグが混在しているときの利便性が向上する。
【００３３】
さらにまた、前記異常警報が生じた時、当該異常を検知した検知器に連動して該検知器付近を撮像するモニターＴＶを動作させてセンターに表示させると共に、警報前後の撮像画像を別途録画することにより、より防犯効果を高めることができる。
【図面の簡単な説明】
【図１】本発明の自鳴式物品監視タグの鳴動監視システムの全体図である。
【図２】本発明の自鳴式物品監視タグの簡易型鳴動監視システムの全体図である。
【図３】本発明の自鳴式物品監視タグの鳴動監視端末の構成を示す図である。
【図４】本発明の自鳴式物品監視タグの鳴動監視回路を示す図である。
【図５】図４に組み込まれる他のトーンレコーダを示す図である。
【図６】自鳴式タグ鳴動の波形パターンを示す図である。
【図７】自鳴式タグの各種仕様を示す図である。
【図８】従来の自鳴式物品監視装置の説明図である。
【図９】従来の他の自鳴式物品監視装置の説明図である。
【図１０】本発明の自鳴式物品監視タグの鳴動監視システムの全体イメージを示す図である。
【符号の説明】
１，２      自鳴式物品監視タグ
３〜６      自鳴式物品監視タグの鳴動監視端末
７      センター
２１，２２      自鳴式物品監視タグ
２３〜２６      自鳴式物品監視タグの鳴動監視端末
２７      センター